(57)【要約】【課題】記録メディアの読込時のファイルアクセス速度を短縮する再生装置を提供する。【解決手段】再生装置１００は、ユーザからの入力処理等が行われるユーザインターフェース部１０１、アクセラレータファイル１１０ａに関する情報を管理するアクセラレータファイル管理部１０５、及びコンテンツファイル１１０ｂの再生処理を行う再生部１０７を備える。前記アクセラレータファイル管理部１０５は、記録メディア１１０に記録されているアクセラレータファイル１１０ａのファイル保持部１０６への記録等を行い、前記ファイル保持部１０６にはアクセラレータファイル１１０ａが記録される。【選択図】  図１
2004348282.tif 000002
【特許請求の範囲】
【請求項１】
デジタル著作物であるコンテンツファイルと当該コンテンツファイルに関連するファイル情報とが記録されている記録媒体から前記コンテンツファイルを読み出して再生する再生装置であって、
前記コンテンツファイルに対するアクセスを高速化するための第１ファイル情報を保持するファイル保持手段と、
前記第１ファイル情報を前記ファイル保持手段に記録するファイル記録手段と、
前記第１ファイル情報を参照して前記記録媒体からコンテンツファイルを読み出して再生する再生手段とを備える
ことを特徴とする再生装置。
【請求項２】
前記第１ファイル情報は、前記記録媒体に記録されている前記コンテンツファイルに高速にアクセスするための補助情報が記録されたアクセラレータファイルである
ことを特徴とする請求項１記載の再生装置。
【請求項３】
前記再生装置は、さらに、
前記記録媒体に記録されている情報を読み込むファイル読込手段と、
前記ファイル保持手段に前記アクセラレータファイルが記録されているか否かを判定するファイル判定手段とを備え、
前記ファイル判定手段において、前記ファイル保持手段に前記アクセラレータファイルが記録されていると判定される場合においては、前記ファイル読込手段は、前記ファイル保持手段から前記アクセラレータファイルを読み込み、
前記ファイル判定手段において、前記ファイル保持手段に前記アクセラレータファイルが記録されていないと判定される場合においては、前記ファイル読込手段は前記記録媒体より前記アクセラレータファイルを読み込むと共に、前記ファイル記録手段は前記記録媒体に記録されている前記アクセラレータファイルを前記ファイル保持手段に記録する
ことを特徴とする請求項２記載の再生装置。
【請求項４】
前記ファイル保持手段は、複数の前記コンテンツファイルに対応する複数の前記第１ファイル情報を保持する
ことを特徴とする請求項１記載の再生装置。
【請求項５】
前記再生装置は、さらに、
ネットワークを介してサーバ装置に接続してファイル情報のダウンロードを行うネットワークアクセス手段を備え、
前記ファイル記録手段は、前記ネットワークアクセス手段を介して前記サーバ装置よりダウンロードを行った前記ファイル情報を前記ファイル保持手段に記録する
ことを特徴とする請求項１記載の再生装置。
【請求項６】
前記サーバ装置は、前記ネットワークアクセス手段より送信される検索条件に従ってファイル情報の生成を行うファイル生成手段を備え、
前記ファイル記録手段は、前記ファイル生成手段において生成された前記ファイル情報を前記ファイル保持手段に記録する
ことを特徴とする請求項５記載の再生装置。
【請求項７】
前記検索条件は、前記再生装置のユーザから入力されるキーワード、又は前記記録媒体に記録されているアクセラレータファイルに含まれている条件である
ことを特徴とする請求項６記載の再生装置。
【請求項８】
前記再生装置は、さらに、前記ファイル保持手段に保持している前記第１ファイル情報を更新するファイル更新手段を備える
ことを特徴とする請求項１記載の再生装置。
【請求項９】
前記ファイル更新手段は、前記第１ファイル情報を前記ネットワークアクセス手段を介して前記サーバ装置よりダウンロードした新たなファイル情報に更新する
ことを特徴とする請求項８記載の再生装置。
【請求項１０】
前記再生装置は、さらに、
前記記録媒体に固有の番号である媒体固有番号を読み込む媒体固有番号取得手段と、
前記アクセラレータファイルの前記ファイル保持手段における保持領域と前記媒体固有番号取得手段から取得した前記媒体固有番号とを対応させて記録したテーブルを生成するテーブル生成手段とを備える
ことを特徴とする請求項３記載の再生装置。
【請求項１１】
前記ファイル判定手段は、前記媒体固有番号取得手段において取得した番号が前記テーブルに記載されていると判定する場合においては、前記ファイル読込部は前記テーブルに記載されている前記保持領域を参照して前記アクセラレータファイルの取得を行う一方、
前記テーブルに記載されていないと判定する場合においては、前記記録媒体より前記アクセラレータファイルの取得を行うと共に、前記ファイル記録手段は前記アクセラレータファイルを前記ファイル保持手段に記録し、前記テーブル生成手段は、前記テーブルに前記アクセラレータファイルの保持領域と前記媒体固有番号とを対応させて前記テーブルを更新する
ことを特徴とする請求項１０記載の再生装置。
【請求項１２】
前記再生装置は、さらに、少なくとも１つ以上のコンテンツファイルと、当該コンテンツファイルに関連するファイル情報と、前記ファイル情報の記録領域及び任意に付与された識別子を対応付けて作成されたテーブルとを保持する第２ファイル保持手段を備え、
前記再生手段は、前記第２ファイル保持手段に記録される前記ファイル情報を参照して前記コンテンツファイルを読み出して再生を行う
ことを特徴とする請求項１記載の再生装置。
【請求項１３】
前記ファイル情報には、前記コンテンツファイルが再生可能な期間を示す日時制限を受けるか否かを示す日時フラグが含まれ、
前記再生装置は、さらに、
前記日時フラグに基づいて前記コンテンツファイルが日時制限を受けるか否かの判定を行う日時制限判定手段とを備える
ことを特徴とする請求項１記載の再生装置。
【請求項１４】
前記ファイル情報には、前記日時制限の期間を示す情報となる再生開始日時及び再生終了日時を示す情報が含まれ、
前記日時制限判定手段は、前記コンテンツファイルが日時制限を受けると判定する場合においては、前記再生開始日時及び前記再生終了日時を取得して、前記コンテンツファイルが再生可能な期間であるか否かの判定を行う
ことを特徴とする請求項１３記載の再生装置。
【請求項１５】
前記記録媒体には、複数の前記コンテンツファイルに関連する前記ファイル情報において重複する情報を保持する１つの参照ファイルと、当該参照ファイルを参照するための参照ＩＤを有すると共に前記重複する情報を含まない少なくとも１つ以上の参照元ファイルとが記録され、
前記ファイル読込手段は、前記参照元ファイルの読出しにおいては、前記参照ＩＤを用いて前記参照ファイルより前記重複する情報を取得する
ことを特徴とする請求項３記載の再生装置。
【請求項１６】
コンテンツファイル及び当該コンテンツファイルに関連するファイル情報が記録され再生装置において読み込まれる記録媒体であって、
前記ファイル情報には、前記コンテンツファイルが再生可能な期間を示す日時制限を受けるか否かを示す日時フラグが含まれる
ことを特徴とする記録媒体。
【請求項１７】
前記ファイル情報には、前記日時制限の期間を示す情報となる再生開始日時及び再生終了日時を示す情報が含まれる
ことを特徴とする請求項１６記載の記録媒体。
【請求項１８】
前記記録媒体には、複数の前記コンテンツファイルに関連する前記ファイル情報において重複する情報を保持する１つの参照ファイルと、当該参照ファイルを参照するための参照ＩＤを有すると共に前記重複する情報を含まない少なくとも１つ以上の参照元ファイルとが記録される
ことを特徴とする請求項１６記載の記録媒体。
【請求項１９】
デジタル著作物であるコンテンツファイルと当該コンテンツファイルに関連するファイル情報とが記録されている記録媒体から前記コンテンツファイルを読み出して再生する再生方法であって、
前記コンテンツファイルに対するアクセスを高速化するための第１ファイル情報を保持するファイル保持ステップと、
前記第１ファイル情報を前記ファイル保持手段に記録するファイル記録ステップと、
前記第１ファイル情報を参照して前記記録媒体からコンテンツファイルを読み出して再生する再生ステップとを有する
ことを特徴とする再生方法。
【請求項２０】
デジタル著作物であるコンテンツファイルと当該コンテンツファイルに関連するファイル情報とが記録されている記録媒体から前記コンテンツファイルを読み出して再生する再生装置に用いられるプログラムであって、
前記コンテンツファイルに対するアクセスを高速化するための第１ファイル情報を保持するファイル保持ステップと、
前記第１ファイル情報を前記ファイル保持手段に記録するファイル記録ステップと、
前記第１ファイル情報を参照して前記記録媒体からコンテンツファイルを読み出して再生する再生ステップとをコンピュータに実行させる
ことを特徴とするプログラム。
【発明の詳細な説明】
【０００１】
【発明の属する技術分野】
本発明は、記録媒体を用いてコンテンツファイルの利用を行う再生装置に関する。
【０００２】
【従来の技術】
従来、再生装置において記録メディアを用いたコンテンツの利用を行うに際しては、コンテンツファイルを記録したＣＤ−ＲＷやＤＶＤ等の記録媒体よりファイル情報が記載されたファイルを再生装置側でまず読み出して再生を希望するコンテンツを選択することによりコンテンツの利用を行う。
【０００３】
ところで、近年におけるデータ圧縮技術の向上により、１枚の記録メディアに数千にも及ぶデータの記録を可能にする一方、記録メディアに記録されたデータファイルへのアクセスという点で問題が生じている。例えば、数百枚のＪＰＥＧ画像が収録された記録メディアを再生装置にロードした後、サムネイル表示に長期間要する等の面倒が生じている。
【０００４】
これらの問題を解決するために、次のような手法が用いられる場合がある。つまり、記録装置側においてコンテンツ情報、再生メニュー情報、プレイリスト、サムネイルイメージといったデータアクセスを補充する追加情報を記録したアクセラレータファイルと呼ばれるファイルを生成して予め記録メディアに記録する。そして、記録メディアを利用する再生装置側では、アクセラレータファイルを読み出すことで目的のデータに対してアクセスを高速化する。
【０００５】
この従来の記録メディアに記録されるコンテンツファイルの利用方法を説明する。図１４は、従来の再生装置１４０２における機能ブロック図を示す。
記録メディア１４０１上には、データアクセスを補充する追加情報を記録したアクセラレータファイル１４０１ａ及びコンテンツの実体情報を記載したコンテンツファイル１４０１ｂが記録されている。
【０００６】
再生装置１４０２は、記録メディア１４０１が起動されるとユーザインターフェース部１４０３の読込部１４０４において記録メディア１４０１上のアクセラレータファイル１４０１ａを読み出し、表示部１４０５は読み込んだ内容に従って画面にメニュー表示を行う。そして、選択部１４０６を介してユーザは再生希望する好みのコンテンツファイル、プレイリスト等の選択を行い、再生部１４０７はユーザにより指定されたコンテンツファイルを読み出し、再生を行う。このように、従来の再生装置１４０２におけるコンテンツファイル利用においては、コンテンツファイル１４０１ｂに対するアクセスを効率化するファイル情報を記録メディア１４０１上にアクセラレータファイル１４０１ａとして記録し、再生装置１４０２側でこれを読み出すことにより、コンテンツファイル１４０１ｂの利用が行われる。
【０００７】
さらに、例えば、「ショー構造」を定義し、これを辿ることにより次々とＵＲＬにジャンプ可能とする技術が開示されている（例えば、特許文献１参照）。この技術においては、ＵＲＬを収集してそれらをウェブのブラウザに送るソフトウェアのアプリケーションを介してウェブリソースを逐次的に処理してスケジューリングするための方法であり、インターネットをブラウジングする場合のクリック及び決定の数を減らすための方法である。
【０００８】
【特許文献１】
特表２００１−５１５２４６号公報
【０００９】
【発明が解決しようとする課題】
しかしながら、前記従来の再生装置においては、上述のようにアクセラレータファイルが記録されている記録メディアよりコンテンツファイルの利用を行うに際しても、再生装置の起動のたびに記録メディア上からアクセラレータファイルを読み出す必要があるため、特にＣＤ−ＲＯＭ等のようにアクセス速度が遅い記録メディアの場合、起動に時間がかかるという問題がある。
【００１０】
本発明は、前記課題を解決するための発明であり、記録メディアを用いてコンテンツファイルの再生を行う再生装置において、ファイル読み込み時におけるファイル情報へのアクセスをより高速化して、ユーザの利便性の向上を図る再生装置を提供することを目的とする。
【００１１】
また、本発明の第２の目的として、コンテンツファイルに関するファイル情報を効果的に削減して、サイズ削減を図ったファイル情報を記録する記録メディアを実現する。
【００１２】
【課題を解決するための手段】
前記課題を解決するために、本発明に係る再生装置はデジタル著作物であるコンテンツファイルと当該コンテンツファイルに関連するファイル情報とが記録されている記録媒体から前記コンテンツファイルを読み出して再生する再生装置であって、前記コンテンツファイルに対するアクセスを高速化するための第１ファイル情報を保持するファイル保持手段と、前記第１ファイル情報を前記ファイル保持手段に記録するファイル記録手段と、前記第１ファイル情報を参照して前記記録媒体からコンテンツファイルを読み出して再生する再生手段とを備えることを特徴とする。
【００１３】
従って、再生装置は、記録メディア上のファイル情報ではなく、ファイル保持部に記録したファイル情報を読み込む。このため、起動時毎に記録メディア上のファイルを読み出す動作を省略して再生装置における記録メディアの起動時間を短縮し、ユーザの利便性を向上させることが可能となる。
【００１４】
また、本発明に係る再生装置は、ネットワークを介してサーバ装置に接続してファイル情報のダウンロードを行うネットワークアクセス手段を備え、前記ファイル記録手段は、前記ネットワークアクセス手段を介して前記サーバ装置よりダウンロードを行った前記ファイル情報を前記ファイル保持手段に記録することを特徴とする。
従って、ネットワークを介したサーバ装置より再生装置のユーザの嗜好に合わせた最新の情報を記載したアクセラレータファイルを取得することが可能となる。
【００１５】
また、記録メディアに記録されるファイル情報には、コンテンツファイルが再生可能な期間を示す日時制限を受けるか否かを示す日時フラグが含まれ、再生装置は、さらに、ユーザからの入力に従って再生する前記コンテンツファイルを選択するファイル選択手段と、前記日時フラグに基づいて前記ファイル選択手段において選択されたファイルが日時制限を受けるか否かの判定を行う日時制限判定手段とを備えることを特徴とする。このため、再生装置の各コンテンツファイルの再生時において日時指定を行い、有効期限が過ぎているコンテンツファイルにおいては、再生を行わない。
【００１６】
尚、本発明は、上述のような再生装置として実現できるのみではなく、この再生装置が備える手段をステップとする再生方法、また、当該再生方法をコンピュータ等で実現させるプログラムとして実現したり、当該プログラムをＤＶＤ、ＣＤ−ＲＯＭ等の記録媒体や通信ネットワーク等の伝送媒体を介して流通させることができるのは言うまでもない。
【００１７】
【発明の実施の形態】
以下、本発明に係る再生装置について図面を用いて説明する。
【００１８】
（実施の形態１）
図１は、本実施の形態１に係る再生装置１００の機能ブロック図である。尚、本実施の形態１においては、再生装置１００において記録メディア１１０から読み出したアクセラレータファイル１１０ａを記録するファイル保持部１０６を備え、以降の記録メディア１１０の交換がない限り記録メディア１１０の起動時においてはファイル保持部１０６に記録されているアクセラレータファイル１１０ａを読み込むことを特徴とするものである。
【００１９】
尚、下記の実施の形態の説明において、アクセラレータファイル１１０ａとは、希望するコンテンツを迅速に特定するために各コンテンツファイル１１０ｂにおいて予め定めたファイル情報の集まりをいう。この場合のファイル情報としては、コンテンツ情報、再生メニュー情報、プレイリスト、サムネイルイメージ等である。そして、コンテンツファイル１１０ｂを再生利用する再生装置１００では、このアクセラレータファイル１１０ａを読み出すことで目的のデータに対するアクセスを高速化する。
【００２０】
コンテンツ情報とは、例えば各コンテンツファイル１１０ｂに対応するタイトル名、ジャンル、アーティスト名、歌詞、メモ、作成日時等の様々なテキストデータである。
再生メニュー情報とは、階層構造によりプレイリストを複数管理し、再生装置１００において記録メディア１１０のインターフェース時に表示される画面情報となる。
【００２１】
プレイリストは、再生を行うファイルの順序、各ファイルの所在場所を示すパスに関する情報が記載されたファイルである。また、プレイリストは、少なくとも１つ以上のグループからなり、各グループには１つ以上のコンテンツ再生情報が列挙登録されている。グループには、音声グループ、静止画グループ、映像グループ、音声・静止画同時再生グループ等の複数の種類がある。尚、各グループには、それぞれのグループに属するタイプのコンテンツしか登録できない。すなわち、音声グループには音声ファイルのみが登録でき、静止画ファイル又は映像ファイルを音声グループに登録することはできない。そして、前記コンテンツ再生情報とは、再生時の条件を指定するもので、プレイリストに登録した各コンテンツについて何秒間再生するか、何秒目から何秒目までを再生するかという次のコンテンツとの切り替わり時の効果（静止画ファイルなら、例えばフェードイン、フェードアウト、カット、ワイプ等）を指定する。
【００２２】
サムネイルイメージは、各コンテンツファイル１１０ｂを間引き等によって小型化、簡素化した画像である。
図１に示す再生装置１００は、ユーザからの入力処理等が行われるユーザインターフェース部１０１、アクセラレータファイル１１０ａに関する情報を管理するアクセラレータファイル管理部１０５、及びコンテンツファイル１１０ｂの再生処理を行う再生部１０７を備える。
【００２３】
ユーザインターフェース部１０１は、記録メディア１１０及びアクセラレータファイル管理部１０５に記録されているファイル情報を読み込む読込部１０２、読み込んだアクセラレータファイル１１０ａに関連する情報を画面等の表示部に表示する表示部１０３、再生装置１００のユーザが画面に表示されるメニュー情報より再生を希望するファイル、プレイリスト等の選択を行う選択部１０４を備える。尚、この選択はリモコン１０８からのユーザ入力を介した指示により行うことも可能である。
【００２４】
アクセラレータファイル管理部１０５は、記録メディア１１０に記録されているアクセラレータファイル１１０ａのファイル保持部１０６への記録、書き換え等を行う。
ファイル保持部１０６は、アクセラレータファイル１１０ａが記録され、具体的にはフラッシュメモリ等の書き換え可能な不揮発性のメモリであり、再生装置１００がパソコンの場合は、ハードディスクであってもよい。
【００２５】
再生部１０７は、ユーザインターフェース部１０１の選択部１０４においてユーザ選択されたコンテンツファイル１１０ｂの再生処理を行う。尚、プレイリストによりファイル選択が行われる場合においては、プレイリストに記載されている再生順番に従ってコンテンツファイル１１０ｂの再生を行う。
【００２６】
記録メディア１１０は、記録装置側においてＣＤ−ＲＷドライブ等によりアクセラレータファイル１１０ａ及びコンテンツファイル１１０ｂの記録が行われた記録媒体であり、具体的にはＣＤ−ＲＷやＤＶＤ等のデジタルデータの書き込み可能な記録媒体となる。そして、例えば、記録装置のユーザは、オーサリング機能により再生希望する好みのコンテンツのファイル情報を編集してプレイリスト及びメニュー情報を作成して、これを記録したアクセラレータファイル１１０ａを作成する。
【００２７】
図２は、本実施の形態１に係る再生装置１００におけるコンテンツファイル１１０ｂの再生までの動作手順を示すフローチャートを示す図である。
まず、再生装置１００においては、記録メディア１１０がセットされた際、或いはリセット等の所定の操作が行われた際において読込部１０２において記録メディア１１０の交換が行われたか否かの判断を行う（Ｓ２０１）。尚、この判断は読込部１０２に一時的に記録される記録メディアに固有の番号を用いて行うことが考えられる。
【００２８】
そして、読込部１０２において記録メディア１１０の交換が行われると判断される場合においては（Ｓ２０１のＹ）、記録メディア１１０よりアクセラレータファイル１１０ａの読出しを行い（Ｓ２０２）、アクセラレータファイル管理部１０５は、ファイル保持部１０６に読み出したアクセラレータファイル１１０ａを記録する（Ｓ２０３）。そして、読込部１０２は、ファイル保持部１０６に記録したアクセラレータファイル１１０ａの読出しを行い（Ｓ２０４）、画面にアクセラレータファイル１１０ａに含まれるメニュー情報、プレイリスト等のファイル情報の表示を行う（Ｓ２０５）。また、再生装置１００のユーザがリモコン１０８等を介して選択部１０４において再生を希望するコンテンツファイル１１０ｂの選択を行い（Ｓ２０６）、再生部１０７は選択されたコンテンツファイル１１０ｂの再生処理を行い一連の動作を終了する（Ｓ２０７）。
【００２９】
一方、読込部１０２において記録メディア１１０の交換が行われていないと判断される場合においては（Ｓ２０１のＮ）、ファイル保持部１０６に既に記録されているアクセラレータファイル１１０ａの読出しを行う（Ｓ２０４）。以降、記録メディア１１０が交換されない限り、再生装置１００において記録メディア１１０の読み込み時においては、ファイル保持部１０６上のアクセラレータファイル１１０ａを利用する。そして、読込部１０２は、ファイル保持部１０６に記録したアクセラレータファイル１１０ａの読出しを行い（Ｓ２０４）、画面にアクセラレータファイル１１０ａに含まれるメニュー情報等のファイル情報、プレイリスト等の表示を行い（Ｓ２０５）、再生装置１００のユーザがリモコン１０８等を介して選択部１０４において再生を希望するコンテンツファイル１１０ｂの選択を行い（Ｓ２０６）、再生部１０７は選択されたコンテンツファイル１１０ｂの再生処理を行い一連の動作を終了する（Ｓ２０７）。
【００３０】
以上の説明のように、本実施の形態１に係る再生装置１００は、記録メディア１１０に記録されているアクセラレータファイル１１０ａを記録するファイル保持部１０６、及び記録メディア１１０の交換を行ったか否かの判定を行う読込部１０２を備えることにより、再生装置１００における記録メディア１１０の交換が行われない場合においては、記録メディア１１０上のアクセラレータファイル１１０ａではなく、ファイル保持部１０６に記録したアクセラレータファイル１１０ａを読み込む。このため、起動時毎に記録メディア１１０上のアクセラレータファイル１１０ａを読み出す動作を省略して再生装置１００における記録メディア１１０の起動時間を短縮し、ユーザの利便性を向上させることが可能となる。
【００３１】
（実施の形態２）
次に、本発明に係る再生装置１００の他の実施の形態について図３を用いて説明を行う。尚、本実施の形態２においては、再生装置１００はネットワークを介してサーバ装置３０２と接続するネットワークアクセス部３０１を備えることを特徴とする。また、上述した実施の形態１に係る再生装置１００と同様の構成についての説明は同様のため省略する。
【００３２】
ネットワークアクセス部３０１は、ネットワークを介してサーバ装置３０２と接続し、サーバ装置３０２に備えられる記録メディア１１０に対応するアクセラレータファイル１１０ａをダウンロードする。そして、アクセラレータファイル管理部１０５はダウンロードしたアクセラレータファイル１１０ａをファイル保持部１０６に記録する。
【００３３】
サーバ装置３０２は、記録メディア１１０に対応した各種アクセラレータファイル１１０ａを保持している。このサーバ装置３０２は、ＬＡＮを用いた家庭内サーバ装置でも良いし、ＷＡＮを用いた広域のネットワークにより接続されたサーバ装置であっても良い。
【００３４】
図４は、本実施の形態２に係る再生装置１００におけるコンテンツファイル１１０ｂの再生までの動作手順を示すフローチャートを示す図である。
まず、再生装置１００においてネットワーク上のサーバ装置３０２にアクセラレータファイル１１０ａの取得のためにアクセスするか否かの判断が行われる（Ｓ４０１）。この判断はユーザの判断とし、他に、例えば記録メディア１１０が再生装置１００に挿入された時点でネットワーク経由でサーバ装置３０２にアクセスして、当該記録メディア１１０に関連する情報をダウンロードして画面表示を行いユーザに選択させることも考え得る。
【００３５】
そして、サーバ装置３０２にアクセスすると判断する場合においては（Ｓ４０１でＹ）、サーバ装置３０２よりコンテンツファイル１１０ｂに対応するアクセラレータファイル１１０ａのダウンロードを行う（Ｓ４０２）。また、アクセラレータファイル管理部１０５はダウンロードしたアクセラレータファイル１１０ａをファイル保持部１０６に記録する（Ｓ４０３）。次に、読込部１０２は、ファイル保持部１０６に記録したアクセラレータファイル１１０ａの読出しを行い（Ｓ４０４）、画面にアクセラレータファイル１１０ａに含まれるメニュー情報、プレイリスト等のファイル情報の表示を行い（Ｓ４０５）、再生装置１００のユーザがリモコン１０８等を介して選択部１０４において再生を希望するコンテンツファイル１１０ｂの選択を行う（Ｓ４０６）。次に、再生部１０７は選択されたコンテンツファイル１１０ｂの再生処理を行い一連の動作を終了する（Ｓ４０７）。
【００３６】
一方、サーバ装置３０２にアクセスしないと判断する場合においては（Ｓ４０１でＮ）、読込部１０２は、ファイル保持部１０６又は記録メディア１１０に記録したアクセラレータファイル１１０ａの読出しを行い（Ｓ４０４）、画面にアクセラレータファイル１１０ａに含まれるメニュー情報、プレイリスト等のファイル情報の表示を行い（Ｓ４０５）、再生装置１００のユーザがリモコン１０８等を介して選択部１０４において再生を希望するコンテンツファイル１１０ｂの選択を行い（Ｓ４０６）、再生部１０７は選択されたコンテンツファイル１１０ｂの再生処理を行い一連の動作を終了する（Ｓ４０７）。
【００３７】
図５は、本実施の形態２に係るサーバ装置３０２の機能ブロックの参考図である。サーバ装置３０２は、アクセラレータファイルを作成するアクセラレータファイル作成部５０１、及びアクセラレータファイルを保持するファイル情報保持部５０２を備える。
【００３８】
アクセラレータファイル作成部５０１は、再生装置１００のユーザが入力してネットワークアクセス部３０１を介して送信されたキーワード等に適したプレイリストなどを作成し、その結果を反映させたアクセラレータファイルを生成する。尚、ファイル情報保持部５０２は、アクセラレータファイル作成部５０１において検索されるファイル情報が保持される。
【００３９】
再生装置１００は、ネットワークアクセス部３０１を介してアクセラレータファイル作成部５０１においてユーザの嗜好に応じて生成されたアクセラレータファイルをダウンロードして、ファイル保持部１０６に記録する。
また、再生装置１００は、ネットワークアクセス部３０１を介して記録メディア１１０に記録されるアクセラレータファイル１１０ａを一旦サーバ装置３０２へ転送してもよい。これは、アクセラレータファイル１１０ａには、例えばタイトル名、ジャンル、アーティスト名、歌詞、メモ、作成日時等の様々なテキストデータが記録されており、これら情報の中からサーバ装置３０２のアクセラレータファイル作成部５０１においてキーワード検索して適切にファイルの作成を行うことも可能なためである。
【００４０】
以上より、本実施の形態２に係る再生装置１００は、ネットワークを介してサーバ装置３０２と接続されるネットワークアクセス部３０１を備える。このため、再生装置１００のユーザの嗜好に合わせたキーワード又は記録メディア１１０に記録されたアクセラレータファイル１１０ａをネットワークアクセス部３０１を介してサーバ装置３０２に送信し、サーバ装置３０２において検索条件に適した最新の情報を記載したアクセラレータファイルを生成することが可能となる。
【００４１】
また、再生装置１００がネットワークアクセス部３０１を備えることにより、記録メディア１１０に記録されているコンテンツファイル１１０ｂのみでなくサーバ装置３０２上より取得する多彩なコンテンツファイルの再生が可能となりユーザの利便性が向上する。例えば、サーバ装置３０２からダウンロードしたアクセラレータファイルをファイル保持部１０６に記録し、これに従って再生する際に、記録メディア１１０上に存在しないコンテンツファイルがある場合は、ネットワークアクセス部３０１を介してサーバ装置３０２からそのコンテンツファイルをダウンロードして再生装置１００において再生することも可能となる。
【００４２】
さらに、サーバ装置３０２がアクセラレータファイル作成部５０１を備えることにより、最新の情報を用いてユーザの嗜好に応じたプレイリストやメニューを作成することが可能となる。これは、特にホームサーバ装置等が大量のコンテンツファイルを持っている場合には特に有効となる。また、処理負荷の重いプレイリストやアクセラレータファイルの作成は再生装置１００に実装しなくてもサーバ装置３０２上においてサービスとして提供でき、このため、比較的処理能力の低い再生装置１００でも豊富なファイル情報を入手して多彩な再生を楽しむことができる。さらに、再生装置１００の構成が簡単になり、低価格で高機能の再生装置１００の提供が可能となる。
【００４３】
尚、再生装置１００は、適宜ファイル保持部１０６に記憶されたアクセラレータファイル１１０ａを更新するファイル更新部（図示せず）を備えることにより最新情報を記録したアクセラレータファイル１１０ａを利用することが可能となる。また、ファイル保持部１０６に記憶されているアクセラレータファイル情報をネットワークを介してサーバ装置のアクセラレータファイル作成部５０１において検索結果を反映させて作成されてダウンロードしたアクセラレータファイルに更新することが可能となる。
【００４４】
具体例としては、写真はＣＤ−Ｒ等の記録メディア１１０に保存しておき、価格表や特記事項をアクセラレータファイルに保存しファイル保持部１０６に記録する。そして、再生装置１００のユーザは、ネットワークアクセス部３０１を介してカタログサービス端末であるサーバ装置３０２に接続して、ファイル更新部によりダウンロードした最新のアクセラレータファイルをファイル保持部１０６に記録して更新することが可能となる。従って、アクセラレータファイルを更新するだけで常に最新情報が得られる。
【００４５】
図６は、本発明に係る再生装置１００において読み込まれる記録メディア１１０に記録されるファイル属性テーブル６００に日時フラグを設ける場合の参考図である。このファイル属性テーブル６００とはアクセラレータファイル１１０ａに含まれるファイルであり、本発明においては音声、静止画、動画等の各ファイルの属性情報と共に、ファイル名６０１、日時フラグ６０２、再生開始日時６０３、再生終了日時６０４等の情報が記載されている。
【００４６】
日時フラグ６０２は、日時制限を受けるファイルか否かを示すフラグであり、日時フラグ６０２が「ｏｆｆ」の時は日時制限を受けないファイルであることを示し、日時フラグ６０２が「ｏｎ」の時は日時制限を受けるファイルであることを示す。また、日時フラグ６０２は、ファイル属性テーブル６００のリザーブフィールドのスペシャルフラグエリア、又はファイルタイプエリアに設けることが考え得る。
【００４７】
また、ファイル属性テーブル６００には、コンテンツファイル１１０ｂに対応する再生開始日時６０３及び再生終了日時６０４を示すフィールドを設けることもできる。図６においては、再生開始日時「２００３．６．１」から再生終了日時「２００３．６．１０」までの期間が再生可能期間となる。そして、例えば、エキストラテキストエリアに開始・終了の日時を記録して、エキストラテキストタイプにスタート、エンドを定義することができる。
【００４８】
図７は、本実施の形態２に係る再生装置１００の動作手順を示すフローチャートである。
まず、再生装置１００の読込部１０２において記録メディア１１０よりアクセラレータファイル１１０ａの読み込みを行う（Ｓ７０１）。次に、読込部１０２は、選択されたコンテンツファイル１１０ｂのファイル属性テーブルを読み出して（Ｓ７０２）、日時フラグ６０２が「ｏｎ」か否かの判定を行う（Ｓ７０３）。そして、日時フラグ６０２が「ｏｎ」でない場合、すなわち「ｏｆｆ」の場合においては（Ｓ７０３でＮ）、コンテンツファイル１１０ｂの再生に関して日時制限がないものとしてファイル保持部１０６又は記録メディア１１０上からアクセラレータファイル１１０ａの取得を行う（Ｓ７０５）。
【００４９】
読込部１０２において日時フラグ６０２が「ｏｎ」であると判定される場合においては（Ｓ７０３でＹ）、さらにファイル属性テーブルの再生開始日時６０３及び再生終了日時６０４を参照して現在が再生可能期間に属するか否かの判定を行う（Ｓ７０４）。そして、現在が再生可能期間中である場合においては（Ｓ７０４でＹ）ファイル保持部１０６又は記録メディア１１０上からアクセラレータファイル１１０ａの取得を行う（Ｓ７０５）。また、再生可能期間でない場合においては（Ｓ７０４でＮ）、サーバ装置３０２から新たなアクセラレータファイルの取得を行うこととなる（Ｓ７０６）。
【００５０】
尚、本実施の形態２に係る再生装置１００において、図示はしていないが、再生可能期間の判定を行う日時制限判別部を設けることも考えられる。この日時制限判別部は、読込部１０２において読み込まれたアクセラレータファイル１１０ａからファイル属性テーブル６００を参照して、各コンテンツファイル１１０ｂに対応する日時フラグ６０２の有無、及び再生開始日時６０３及び再生終了日時６０４を読み込み、指定されたコンテンツファイルが再生可能か否かの判定を行う。
【００５１】
以上より、本実施の形態２に係る記録メディア１１０には、アクセラレータファイル１１０ａのファイル属性テーブル６００において日時フラグ６０２、再生開始日時６０３及び再生終了日時６０４の情報が設けられる。
従って、各コンテンツファイル１１０ｂにおいて日時指定を行い、再生装置１００の読込部１０２において記録メディア１１０上のアクセラレータファイル１１０ａを読み出す際、日時フラグ６０２をチェックする。そして、日時制限判別部は、有効期限が過ぎている場合においては、ネットワークアクセス部３０１に所定のサーバ装置３０２にアクセスしてアクセラレータファイル１１０ａの取得するよう指示を行う。これにより、例えば、通販カタログのセール期間にあわせてサーバ装置３０２からアクセラレータファイルをダウンロードし、価格改定等が可能となる。また、オンラインカタログのような期間が終了すると使用不可となるようなファイル情報、ユーザがセール広告、カタログ、マニュアル等のファイル情報を利用を行う際において期間に適した表示を行うことが可能となり、コンテンツファイルの利用において有効となる。
【００５２】
そして、本実施の形態２において再生装置１００は、日時フラグ６０２と組み合わせて再生可能期間が終了したらネットワーク上のアクセラレータファイル１１０ａを取得する。そして、ネットワーク上に新しいアクセラレータファイル１１０ａが存在しなければファイル属性テーブル６００上の再生可能期間を延長、又は再生不可にすることもできる。また、再生装置１００は、ファイルの再生可能期間中はネットワークにアクセスしないようにし、これにより起動後のネットワークアクセスを削減して、よりスピーディな起動が可能となる。
【００５３】
（実施の形態３）
次に、本発明に係る再生装置１００の他の実施の形態３について図８を用いて説明を行う。尚、本実施の形態３においては、再生装置１００は記録メディア１１０の媒体固有番号を取得する媒体固有番号取得部８０１を備え、ファイル保持部１０６において複数のアクセラレータファイル１１０ａ及びアクセラレータファイルリスト８０２を記録することを特徴とする。また、本実施の形態３において対象とされるＣＤ−ＲＷ、ＤＶＤ等の記録メディア１１０にはアクセラレータファイル１１０ａが１つのみ記録されていることを前提としている。
【００５４】
図８は、本実施の形態３に係る再生装置１００の機能ブロック図を示す。
再生装置１００は、上述した実施の形態１の構成に加えて媒体固有番号取得部８０１及びファイル保持部１０６においてアクセラレータファイルリスト８０２を備える。
【００５５】
媒体固有番号取得部８０１は、読込部１０２における記録メディア１１０の読み込み時において記録メディア１１０の媒体固有番号を取得する。この媒体固有番号は、記録メディア１１０の製造時において書き込み不可領域の媒体固有番号記録領域に書き込まれるメディアＩＤ等の番号であり、例えば「０ｘ０００００００６」の１６進数８桁で表現される。
【００５６】
ファイル保持部１０６には、複数の記録メディア１１０より読み込まれた複数のアクセラレータファイル１１０ａ及びアクセラレータファイルリスト８０２が記録される。このリスト８０２は、再生装置１００のファイル保持部１０６に記録されているアクセラレータファイル１１０ａの記録領域を媒体固有番号に関連付けて記録し、例えば、図８においては、記録メディア１１０の媒体固有番号「１２３４」に対応するアクセラレータファイル１１０ａのファイル保持部１０６におけるディレクトリ「Ｃ：￥ＤＶＤ￥Ｄｉｓｋ１」等が記載されている。
【００５７】
図９は、本実施の形態３に係る再生装置１００の動作手順を示すフローチャートである。
まず、再生装置１００に記録メディア１１０がセットされると、読込部１０２はファイル情報を読み出すと共に媒体固有番号取得部８０１は記録メディア１１０上の媒体固有番号を取得し（Ｓ９０１）、アクセラレータファイル管理部１０５へ通知する。
【００５８】
次に、アクセラレータファイル管理部１０５は、アクセラレータファイルリスト８０２を参照して、媒体固有番号取得部８０１から取得した媒体固有番号と一致するものが記録されているか否かの判定を行う（Ｓ９０２）。
アクセラレータファイル管理部１０５は、アクセラレータファイルリストに一致する媒体固有番号が記載されていないと判定する場合においては（Ｓ９０２でＮ）、記録メディア１１０からアクセラレータファイル１１０ａを読み込み（Ｓ９０４）、ファイル保持部１０６にアクセラレータファイル１１０ａを記録し（Ｓ９０５）、その記録領域と媒体固有番号とを関連付けてアクセラレータファイルリスト８０２に記述して更新する（Ｓ９０６）。
【００５９】
一方、アクセラレータファイル管理部１０５は、アクセラレータファイルリスト８０２に一致する媒体固有番号が記録されていると判定する場合においては（Ｓ９０２でＹ）、アクセラレータファイルリスト８０２からアクセラレータファイル領域の読み込みを行い（Ｓ９０３）、読込部１０２は当該領域に基づいてファイル保持部１０６からアクセラレータファイル１１０ａを読み出す（Ｓ９０７）。そして、表示部１０３はアクセラレータファイル１１０ａの表示を行い（Ｓ９０８）、再生装置１００のユーザは選択部１０４を介して再生希望するコンテンツファイル１１０ｂの選択を行う（Ｓ９０９）。そして最後に、再生部１０７は、指定されたコンテンツファイル１１０ｂの再生を行う（Ｓ９１０）。
【００６０】
以上のように、本実施の形態３に係る再生装置１００は、記録メディア１１０より媒体固有番号を取得する媒体固有番号取得部８０１を有し、また、ファイル保持部１０６に媒体固有番号と保持領域を関連付けたアクセラレータファイルリスト８０２が記録される。また、ファイル保持部１０６には複数のアクセラレータファイル１１０ａが記録される。
【００６１】
このため、複数の記録メディア１１０に関するアクセラレータファイル１１０ａをまとめてファイル保持部１０６において管理するため、ユーザの検索等が広範囲で行えるようになる。また、他の記録メディア１１０に入れ替えられても、次に同じ記録メディア１１０がセットされた際は、媒体固有番号に対応したファイル保持部１０６に記録されるアクセラレータファイル１１０ａを利用可能となり、再生装置１００における記録メディア１１０の起動時間を短縮することが可能となる。
【００６２】
また、本実施の形態３に係る再生装置１００が複数の記録メディア１１０を注入して複数のコンテンツファイル１１０ｂから好みのコンテンツの利用を行うＣＤチェンジャを備える場合においては、まとめてアクセラレータファイル１１０ａの管理を行うことができ、特に有効となる。
【００６３】
（実施の形態４）
次に、本発明に係る再生装置１００の他の形態について図面を用いて説明を行う。尚、本実施の形態４に係る再生装置１００は、予め記録装置等（図示せず）おいてコンテンツファイルとアクセラレータファイルとが記録されたファイル群１００２及びアクセラレータファイルリスト１００３が記録されたハードディスク１００１が再生装置１００にセットされることを特徴とする。また、本実施の形態４に係る記録メディア１１０には、１つ以上のアクセラレータファイル１００４が記録されている。
【００６４】
図１０は、本実施の形態４に係る再生装置１００の機能ブロック図を示す。本実施の形態４に係る再生装置１００は記録装置側でデータが記録されたハードディスク１００１を備え、アクセラレータファイル管理部１０５は、ハードディスク１００１に記録されているファイル情報を管理する。尚、ハードディスク１００１は、ＤＶＤ等の他の記録媒体であっても良いし、ＣＤチェンジャのように複数の記録メディアを対象とするものであっても良い。
【００６５】
ハードディスク１００１には、複数のＣＤ等の内容をまるごとコピーした複数のファイル群１００２が記録され、例えば「Ｃ：￥ｃｏｌｌｅｃｔｉｏｎ￥ＣＤ１」ディレクトリのファイル群１００２には、少なくとも１つのコンテンツファイルとそれに関連づけられたアクセラレータファイルが記録装置側において記録され、また、「Ｃ：￥ｃｏｌｌｅｃｔｉｏｎ￥ＣＤ２」ディレクトリの別のファイルには別のコンテンツファイルとそれに関連付けられた別のアクセラレータファイルが記録されている。また、ハードディスク１００１には、記録装置側で作成され識別子とアクセラレータファイル記録領域とを対応付けたアクセラレータファイルリスト１００３が記録される。この識別子は実施の形態３の媒体固有番号ではなく、例えば１から始まる整数など任意の識別子を使用する。
【００６６】
図１１は、本実施の形態４に係る再生装置１００の動作手順を示すフローチャートである。
まず、アクセラレータファイル管理部１０５においては、再生装置１００にセットされたハードディスク１００１に記録されているアクセレレータファイルリスト１００３を読出し、識別子の選択が行われ（Ｓ１１０１）、当該識別子に対応するアクセラレータファイル記録領域のファイル群１００２の読み出しを行う（Ｓ１１０２）。
【００６７】
次に、読込部１０２は記録領域に基づいてハードディスク１００１上からアクセラレータファイルを読み出す（Ｓ１１０３）。そして、表示部１０３はアクセラレータファイルの表示を行い（Ｓ１１０４）、再生装置１００のユーザは選択部１０４を介して再生希望するコンテンツファイルの選択を行う（Ｓ１１０５）。そして最後に、再生部１０７は、指定されたコンテンツファイルの再生を行う（Ｓ１１０６）。
【００６８】
以上のように、本実施の形態４に係る再生装置１００には、記録装置側で作成された複数のファイル群１００２及びアクセラレータファイルリスト１００３を保持するハードディスク１００１がセットされ、複数のＣＤ等の内容を丸ごと記録したハードディスク１００１をアクセラレータファイルリスト１００３により適切に管理する。このため、再生装置１００のユーザは、より多彩なコンテンツファイルの再生を実現できる。
【００６９】
また、再生装置１００に読み込まれる単一の記録メディア１１０上に複数のアクセラレータファイル１００４が存在する場合においても、予め複数のアクセラレータファイル１００４に対応するコンテンツファイルがハードディスク１００１に記録されているために、再生装置１００側においてアクセラレータファイルで適切に管理したコンテンツファイルの再生を行える。
【００７０】
そして、アクセラレータファイルリスト１００３をハードディスク１００１内に保持するため、管理情報を損なうことなくハードディスクの付け替えが可能となり大量の情報を扱うことが可能となる。
尚、本実施の形態４においては、アクセラレータファイルリスト１００３の記載要素は識別子とアクセラレータファイル記録領域のみを例にあげたが、これら以外の管理情報である例えばメニュー構造、プレイリスト構造、メタデータ等を保持しても良い。その場合、アクセラレータファイル管理部１０５は、再生部１０７やユーザインターフェース部１０１にこれらの管理情報を渡すことで多彩な再生が可能となる。
【００７１】
（実施の形態５）
次に、本発明に係る再生装置１００において読み込まれる記録メディア１１０に記録されるデータについて図面を用いて説明を行う。尚、本実施の形態５においては、重複するデータを記録することを避けるために、重複データを１つの参照ファイルに記録すると共に、他のファイルには参照ＩＤを記録することにより重複データの記録を削減することを特徴としている。また、本実施の形態５の説明のために、重複する情報としてアクセラレータファイル１１０ａ内のパラメータ情報の画像サイズを用いて説明を行うが、本実施の形態５に用いることができる重複データは画像サイズに限定されるものではなく、例えば、音声ファイルにおいては、ファイルビットレート、メタデータ情報におけるタイトル、アーティスト情報等、各コンテンツファイル１１０ｂにおいて重複するデータにおいて用いることができる。
【００７２】
図１２は、本実施の形態５に係るアクセラレータファイル１１０ａに含まれるパラメータ情報ファイルにおけるデータ構造例を示す。図１２（ａ）は参照ファイル１２０１であり、図１２（ｂ）は、参照ファイルを参照する参照元ファイル１２１０である。
【００７３】
ここで、パラメータ情報とは、記録メディア１１０におけるデータファイルの再生を実行するために必要な情報であり、音声ファイルに関しては、その音声ファイルを規定するサンプリング周波数情報、チャネル数情報、圧縮方式情報、演奏時間情報、データレート情報、元のＣＤにおけるトラックナンバー、曲順等である。また、静止画ファイルに関しては、ＪＰＥＧファイル形式におけるヘッダ情報として格納されている静止画ファイルを規定する圧縮方式情報、画像サイズ情報等であり、映像ファイルに関しては、その映像ファイルを規定する画像サイズ情報、フレームレート情報、データレート情報、圧縮方式情報、再生時間情報等となる。
【００７４】
図１２（ａ）において示されるパラメータ情報のうちオフセットディレクトリ１２０２とはコンテンツファイル１１０ｂが存在するディレクトリの情報が記述されている場所へのオフセットである。ファイル属性１２０３とはコンテンツファイル１１０ｂの種類であり、スペシャルフラグ１２０４とは特別な機能に関するフラグ群であり、メニュー画像ＩＤ１２０５とはメニュー表示の際に使用するサムネイル画像のＩＤである。これら４つの情報は各パラメータ情報ファイルにおいて固有の情報となる。
【００７５】
また、垂直方向サイズ１２０６とはコンテンツファイル１１０ｂの静止画の垂直方向ピクセル数であり、水平方向サイズ１２０７とはコンテンツファイル１１０ｂの静止画の水平方向ピクセル数である。
そして、これらのパラメータ情報のうち、垂直方向サイズ１２０６及び水平方向サイズ１２０７は、例えば、デジタルカメラで大量に撮影した静止画ファイルを所定の規格化した場合において全て同じ値となる。従って、全てのファイルのパラメータ情報に重複したサイズ情報を持つことにより記録メディア１１０に記録されるアクセラレータファイル１１０ａ自体が大きくなり非効率となる。特に、近年の携帯用の機器においてはできる限りメモリの使用率を低下させることが望ましく、本発明の再生装置１００においてもファイル保持部１０６に記録されるアクセラレータファイル１１０ａの容量を小さくすることが望ましい。
【００７６】
このため、本実施の形態５に係る記録メディア１１０に記録されるアクセラレータファイル１１０ａにおいては、１つのファイルを参照ファイル１２０１とし、そのファイルについてのパラメータ情報は従来通り全て記述し、それ以外の同じパラメータ情報を持つファイル１２１０については、参照ファイル１２０１と同じパラメータ情報の記述を省略し、代わりに参照ファイル１２０１の参照を行うために参照ＩＤ１２１１を記述することで、参照ファイル１２０１のパラメータ情報を参照できるようにする。
【００７７】
尚、参照ファイル１２０１とそれ以外のファイル１２１０を区別するために、ファイル属性１２０３或いはスペシャルフラグ１２０４のようなファイルの種類や特別なフラグ群を記述するパラメータに参照ファイル１２０１を示すフラグ、或いは参照ファイル１２０１でないことを示すフラグを設けることも考え得る。また、重複する情報を参照ＩＤ１２１１により表現するという群管理コンテンツであることを示すフラグをファイル属性１２０３或いはスペシャルフラグ１２０４に設けることも考え得る。
【００７８】
図１３は、本実施の形態５に係る記録メディア１１０を読み込む再生装置１００における動作手順を示すフローチャートである。
まず、再生装置１００の読込部１０２において記録メディア１１０を読み込みアクセラレータファイル１１０ａからパラメータ情報を読み出す（Ｓ１３０１）。
【００７９】
次に、読込部１０２は、読み出したパラメータ情報に参照ＩＤ１２１１が含まれるか否かの確認を行う（Ｓ１３０２）。そして、参照ＩＤ１２１１が記述されている場合においては（Ｓ１３０２でＹ）、参照ＩＤ１２１１により示される参照ファイル１２０１より対応するパラメータ情報を読み出す（Ｓ１３０３）。
【００８０】
一方、参照ＩＤ１２１１が記述されていない場合においては（Ｓ１３０２でＮ）、読込部１０２は当該ファイルよりパラメータ情報を読み出す。
以上の説明のように、本実施の形態５に係る記録メディア１１０においては、参照ファイル１２０１にのみ共通情報が保持され、参照元のファイル１２１０には共通情報は保持されず参照ＩＤ１２１１が保持されることとなる。このため、複数のファイル間で重複する情報を１つの参照ファイル１２０１で管理して、アクセラレータファイル１１０ａのファイルサイズを削減でき、特にメモリ容量の小さいポータブル再生装置等において、メモリの効率的な使用が可能となる。特に、重複する情報を有するファイルが大量に存在する場合には大きな効果がある。
【００８１】
（変形例１）
尚、本発明に係る再生装置１００の変形例１として、コンテンツファイル１１０ｂが記録メディア１１０に記録されているとしても、プレイリストに反映されていないような場合においては、再生装置１００側にオーサリング機能を持たせることも考えられる。
【００８２】
例えば、アクセラレータファイル１１０ａに含まれるプレイリストの作成時において、アーティスト「Ａ」についてはプレイリストの作成が行われたが、後にユーザの嗜好が変化してアーティスト「Ｂ」についてプレイリストの作成を要求するようなことが往々に考えられる。このような場合においては、再生装置１００側においてオーサリング機能を持たせてアクセラレータファイル１１０ａを可変とすることによりユーザの嗜好に応じたメニュー情報やプレイリストの編集をも可能とでき、ユーザの利便性を向上させることが考えられる。
【００８３】
（変形例２）
また、本発明に係る再生装置１００の変形例２として、再生装置１００のユーザがネットワークを介してサーバ装置３０２側の検索エンジンから多様な検索結果を利用することも考えられる。例えば、検索エンジン「Ｇｏｏｇｌｅ」のイメージ検索を用いてサーバ装置３０２側で多彩なプレイリストの作成等を可能とし、作成されたプレイリストをネットワークアクセス部３０１を介して再生装置１００側にダウンロードすることにより多彩なコンテンツファイルの利用が可能となり、ユーザの利便性が向上する。
【００８４】
具体的には、再生装置１００側からキーワード等をサーバ装置３０２に送信する。サーバ装置３０２側のアクセラレータファイル作成部５０１は、ウェブ上からキーワードに関連するコンテンツと関連文章を抽出しアクセラレータファイルを生成する。例えば、ネットワーク上にショッピングサイトを複数登録しておき、ユーザがキーワードで指定すると指定された条件を満たすコンテンツファイル情報の編集が行われ、商品の画像とテキスト情報（価格や型番、説明等）を有したアクセラレータファイルを生成して再生装置１００側にダウンロードを行う。そして、再生装置１００のユーザは、ダウンロードしたアクセラレータファイルを用いてメニュー画面から好みの商品に辿ることができる。従って、本変形例２に係る再生装置１００のユーザがサーバ装置３０２側に設けられた検索エンジンを用いることで、より多彩なプレイリストの作成を可能として、ユーザの利便性を向上させることができる。
【００８５】
【発明の効果】
以上の説明から明らかなように、本発明に係る再生装置により、起動時毎に記録メディア上のアクセラレータファイルを読み出す動作を省略して再生装置における記録メディアの起動時間を短縮し、ユーザの利便性を向上させることが可能となる。
【００８６】
また、本発明に係る再生装置により、サーバ装置において検索条件に適した最新の情報を記載したアクセラレータファイルを生成して、これを再生装置にダウンロードすることにより多彩なコンテンツファイルの利用を行うことが可能となる。
【００８７】
さらに、本発明に係る再生装置においては、複数の記録メディアに関するアクセラレータファイルをまとめてファイル保持部において管理するため、ユーザの検索等が広範囲で行えるようになる。
そして、本発明に係る再生装置に読み込まれる記録メディアにおいては、複数のファイル間で重複する情報を１つの参照ファイルで管理して、アクセラレータファイルのファイルサイズを削減でき、特にメモリ容量の小さいポータブル再生装置等において、メモリの効率的な使用が可能となる。
【図面の簡単な説明】
【図１】実施の形態１に係る再生装置の機能ブロック図である。
【図２】実施の形態１に係る再生装置におけるコンテンツファイルの再生までの動作手順を示すフローチャートを示す図である。
【図３】実施の形態２に係る再生装置の機能ブロック図である。
【図４】実施の形態２に係る再生装置におけるコンテンツファイルの再生までの動作手順を示すフローチャートを示す図である。
【図５】実施の形態２に係るサーバ装置の機能ブロックの参考図である。
【図６】本発明に係る再生装置において読み込まれる記録メディアに記録されるファイル属性テーブルに日時フラグを設ける場合の参考図である。
【図７】実施の形態２に係る再生装置の動作手順を示すフローチャートである。
【図８】実施の形態３に係る再生装置の機能ブロック図を示す。
【図９】実施の形態３に係る再生装置の動作手順を示すフローチャートである。
【図１０】実施の形態４に係る再生装置の機能ブロック図を示す。
【図１１】実施の形態４に係る再生装置の動作手順を示すフローチャートである。
【図１２】実施の形態５に係るアクセラレータファイルに含まれるパラメータ情報ファイルにおけるデータ構造例を示す。
【図１３】実施の形態５に係る記録メディアを読み込む再生装置における動作手順を示すフローチャートである。
【図１４】従来の再生装置における機能ブロック図を示す。
【符号の説明】
１００  再生装置
１０１  ユーザインターフェース部
１０２  読込部
１０３  表示部
１０４  選択部
１０５  アクセラレータファイル管理部
１０６  ファイル保持部
１０７  再生部
１０８  リモコン
１１０  記録メディア
１１０ａ  アクセラレータファイル
１１０ｂ  コンテンツファイル
３０１  ネットワークアクセス部
３０２  サーバ装置
５０１  アクセラレータファイル作成部
６０２  日時フラグ
６０３  再生開始日時
６０４  再生終了日時
８０１  媒体固有番号取得部
８０２  アクセラレータファイルリスト
１００１  ハードディスク
１００２  ファイル群
１００３  アクセラレータファイルリスト
１００４  アクセラレータファイル
【図１】
2004348282.tif 000003
【図２】
2004348282.tif 000004
【図３】
2004348282.tif 000005
【図４】
2004348282.tif 000006
【図５】
2004348282.tif 000007
【図６】
2004348282.tif 000008
【図７】
2004348282.tif 000009
【図８】
2004348282.tif 000010
【図９】
2004348282.tif 000011
【図１０】
2004348282.tif 000012
【図１１】
2004348282.tif 000013
【図１２】
2004348282.tif 000014
【図１３】
2004348282.tif 000015
【図１４】
2004348282.tif 000016